(57)【要約】【課題】電源ケーブルの抜き差しの方向と筐体の扉の開閉方向とが同じ方向の場合にも、電源ケーブルを接続した通電状態で、ユーザの筐体内部へのアクセスを回避する。【解決手段】給電のための給電受部１１に電源ケーブル５が接続され、給電受部１１を有する電気回路１０と、電気回路１０を収納する筐体３とを備え、筐体３は、電源ケーブル５を通過させる第１接続口３３と、外部から内部の電気回路１０にアクセスするための開放口３５と、開放口３５を塞ぐための開閉可能な筐体扉３１とを有し、筐体扉３１は、閉扉時に第１接続口３３に対向して位置し電源ケーブル５が挿入される第２接続口３４を有する拡張部３１ｂと、正面視で第２接続口３４の一部を覆うように突出し電源ケーブル５の前記接続時に電源ケーブル５に設けられた第１係合部５３に係合して筐体扉３１の開扉を阻止する第２係合部３９とを有する電気装置１。【選択図】図１
2017152466.tif 000002
【特許請求の範囲】
【請求項１】
給電のための給電受部に電源ケーブルが接続される電気装置であって、
前記給電受部を有する電気回路と、該電気回路を収納する筐体とを備え、
前記筐体は、前記電源ケーブルを通過させる第１接続口と、外部から内部の前記電気回路にアクセスするための開放口と、前記開放口を塞ぐための開閉可能な筐体扉とを有し、
前記筐体扉は、閉扉時に前記第１接続口に対向して位置し前記電源ケーブルが挿入される第２接続口を有する拡張部と、前記電源ケーブルの前記接続時に前記電源ケーブルに設けられた第１係合部に係合して前記筐体扉の開扉を阻止する第２係合部とを有する、
電気装置。
【請求項２】
請求項１に記載の電気装置において、
前記第１係合部は、前記電源ケーブルのコネクタ部に形成されて、前記電源ケーブルの長手方向に直交する方向に突出する突片である電気装置。
【請求項３】
請求項１または２に記載の電気装置において、
前記筐体扉の前記第２係合部は、前記電源ケーブルが前記給電受部に接続されている時に、前記電源ケーブルの前記第１係合部に対して、前記給電受部側に存在して、前記第１係合部と係合する電気装置。
【請求項４】
請求項１から３のいずれか一項に記載の電気装置において、
前記筐体扉の前記第２係合部は、前記拡張部に設けられている電気装置。
【請求項５】
請求項１から４のいずれか一項に記載の電気装置において、
前記拡張部は、一部または全部が、透明または半透明である電気装置。
【請求項６】
請求項１から５のいずれか一項に記載の電気装置において、
前記筐体扉は、一端部を中心として回動する片開き式であり、他端部に前記拡張部が設けられている電気装置。
【発明の詳細な説明】
【技術分野】
【０００１】
本発明は、電気回路を筐体内部に具備した電気装置に関し、より具体的には、筐体が、外部から内部の電気回路にアクセスするための開放口と、開放口を塞ぐための開閉可能な筐体扉とを備えた電気装置に関する。
【背景技術】
【０００２】
従来から、電源ケーブルが接続され複数の電気部品を含んで構成される電気回路を筐体内部に有する電源装置や蓄電装置のような電気装置が使用されている。電気装置は、筐体が例えば金属製の略直方体であり、その側面の一つに、ユーザが電気装置内部の電気回路の保守、修理、または部品交換等を行うための開放口を有している。ユーザが開放口を通じて電気回路にアクセスする場合、電源ケーブルを電気装置から取り外しておくことが好ましい。
【０００３】
そこで、特許文献１のような電気機器が知られている。すなわち、特許文献１では、電源コードの雌コネクタが挿通するコネクタ用の第１の開口が背面に形成してある筐体と、前記背面に平行な方向に着脱可能で筐体の底面のアクセス用開放口を塞ぐ底蓋とを設け、底蓋の内面に電気部品であるランプユニットを取り付けると共に、枠辺部（折り曲げ片）を該底蓋に対して垂直に設ける。枠辺部に第２の開口を設け、第１と第２の開口を重ね合わせて両開口を通じて、電源コードの雌コネクタが筐体内に存在するランプユニットの雄コネクタに接続される。特許文献１は、この構造により、電源コードを接続した通電状態で、底蓋を筐体から取り外すことができなくなるので、ユーザの筐体内部へのアクセスを回避している。
【先行技術文献】
【特許文献】
【０００４】
【特許文献１】特開２００７−１０１６９６号公報
【発明の概要】
【発明が解決しようとする課題】
【０００５】
しかし、上記従来技術は、コネクタ用開口が設けられた面（背面）と蓋が設けられた面（底面）とが異なる面であり、電源コードの抜き差しの方向（前後方向）と蓋の開閉方向（上下方向）とが異なっている。よって、上記従来技術は、電源コードの抜き差しの方向と蓋ないし扉の開閉方向とが同一である場合に適用できない。
【０００６】
そこで、本発明の目的は、電源ケーブルの抜き差しの方向と筐体の扉の開閉方向とが同じ方向の場合にも、電源ケーブルを接続した通電状態で、ユーザの筐体内部へのアクセスを回避できる電気装置を提供することである。
【課題を解決するための手段】
【０００７】
前記目的を達成するために、本発明にかかる電気装置は、給電のための給電受部に電源ケーブルが接続され、前記給電受部を有する電気回路と、該電気回路を収納する筐体とを備え、前記筐体は、前記電源ケーブルを通過させる第１接続口と、外部から内部の前記電気回路にアクセスするための開放口と、前記開放口を塞ぐための開閉可能な筐体扉とを有し、前記筐体扉は、閉扉時に前記第１接続口に対向して位置し前記電源ケーブルが挿入される第２接続口を有する拡張部と、前記電源ケーブルの前記接続時に前記電源ケーブルに設けられた第１係合部に係合して前記筐体扉の開扉を阻止する第２係合部とを有する。
【０００８】
この構成によれば、電源ケーブルを給電受部に接続している時に、筐体扉側に設けられた第２係合部が電源ケーブルに設けられた第１係合部に係合して筐体扉の開扉が阻止されるので、ユーザが筐体扉を開いて筐体内部の電気回路にアクセスするためには、必ず電源ケーブルを給電受部から取り外さねばならない。したがって、電源ケーブルの抜き差しの方向と筐体の扉の開閉方向とが同じ方向の場合であっても、電源ケーブルを接続した通電状態で、ユーザが筐体内部の電気回路などにアクセスするのを回避できる。なお、本発明は、電源ケーブルの抜き差しの方向と筐体の扉の開閉方向とが同じ方向である場合に限られない。
【０００９】
前記第１係合部は、前記電源ケーブルのコネクタ部に形成されて、前記電源ケーブルの長手方向に直交する方向に突出する突片であることが好ましい。この構成によれば、電源ケーブルが電気回路の給電受部に接続される部分であるコネクタ部に、第１係合部が設けられるので、第１係合部の位置が給電受部に近接する。したがって、筐体扉が僅かに開いただけで、第１係合部が筐体扉の第２係合部と係合するから、それ以上の開扉が確実に阻止される。さらに、電源ケーブルの第１係合部を、通常は樹脂製であるコネクタ部に、型成形によって容易に一体形成できる。ここで、第１係合部が突出する「電源ケーブルの長手方向」は、コネクタ部の近傍における電源ケーブルの長手方向のことを言う。
【００１０】
前記筐体扉の前記第２係合部は、前記電源ケーブルが前記給電受部に接続されている時に、前記電源ケーブルの前記第１係合部に対して、前記給電受部側に存在して、前記第１係合部と係合することが好ましい。ここで、第２係合部が第１係合部に対して前記給電受部側に存在するとは、第２係合部が第１係合部に対して筐体寄りに存在していることを意味する。この構成の場合、筐体扉を開扉する際、第２係合部が電源ケーブル側の第１係合部に対して電源ケーブルを抜き出す方向に押圧力を及ぼすこととなるので、電源ケーブルを筐体側から抜くことなく筐体扉を開扉することを困難にできる。
【００１１】
前記筐体扉の前記第２係合部は、前記拡張部に設けられているのが好ましい。本発明では従来の筐体扉に対して拡張部を追加して構成することとなるので、筐体扉の第２係合部を拡張部に設けることで従来の筐体扉に対する変更を最小限とすることができるから、生産性の低下を抑制できる。
【００１２】
前記拡張部は、一部または全部が、透明または半透明であってもよい。この構成によれば、筐体側の第１接続口や、給電受部、筐体に接続されている電源ケーブルのコネクタ部などを視認しやすくできる。
【００１３】
前記筐体扉は、一端部を中心として回動する片開き式であり、他端部に前記拡張部が設けられていることが好ましい。この構成により、他端部の筐体への取付けまたは取外しのみで筐体扉を開閉できるので、筐体扉の開閉の操作性がよい。
【発明の効果】
【００１４】
本発明に係る電気装置によると、電源ケーブルの抜き差しの方向と筐体の扉の開閉方向とが同じ方向の場合にも、電源ケーブルを接続した通電状態で、ユーザの筐体内部へのアクセスを回避できる。
【図面の簡単な説明】
【００１５】
【図１】本発明の一実施形態に係る電気装置の要部を示す斜視図である。
【図２】図１の電気装置の筐体扉を開いた状態を示す斜視図である。
【図３】図１の筐体扉の係合構造を示す水平断面図である。
【図４】参考例にかかる電気装置の課題を説明する斜視図である。
【発明を実施するための形態】
【００１６】
以下、本発明の実施形態を図面に基づいて説明する。なお、各図において同一の符号は、同一または相当部分を示し、特段変更等の説明がない限り、適宜その説明を省略する。
【００１７】
図１において、電気装置１は、例えば雄型のコネクタ端子のような内部の給電受部１１（図２参照）に電源ケーブル５が接続されて外部から商用電源が給電される、例えばパワー半導体を使用した交直変換器、または、内部にキャパシタや２次電池等の蓄電部を有する蓄電装置等である。電気装置１は、例えばほぼ直方体形状である。
【００１８】
電気装置１は、例えば金属製である筐体３および筐体扉３１と、筐体３内部に収容された電気回路１０（図２参照）と、電気回路１０に電気的につながる給電受部１１とを含む。図２に示すように、電気回路１０は、配線基板上にキャパシタやパワー半導体等の電気部品が実装されている。筐体３は、電源ケーブル５を通過させる第１接続口３３と、ユーザが外部から内部の電気回路１０にアクセスするための開放口３５とを有する。第１接続口３３は、本実施形態では、一例として給電受部１１が筐体３内部から嵌め込まれ、電源ケーブル５の端部の、例えば雌型であるコネクタ部５１が通過する（図３参照）。開放口３５は、開閉可能な筐体扉３１により塞がれる。
【００１９】
筐体扉３１は、矩形の金属製板材からなる本体３１ａと、この本体３１ａに連なるように曲折形成された拡張部３１ｂとを有する。筐体扉３１は、回動式であり、本体３１ａの一端部である左端部３１ａ１が、上下一対のヒンジ具３７によって上下軸心回りに前後回動自在に支持されている。拡張部３１ｂは、本体３１ａの他端部である右端部３１ａ２に連なるように設けられており、筐体扉３１の開閉用の取っ手３８が取り付けられている。筐体扉３１は、開放口３５を塞いだ状態で、ねじ体（不図示）が、拡張部３１ｂに設けられた上下一対の取付孔３１ｂ１に挿入されて、筐体３に形成された上下一対のねじ孔３６にねじ込まれることにより、筐体３に移動不能に取り付けられる。これにより、電気装置１の使用時に筐体扉３１が不用意に開かないようにされている。
【００２０】
電源ケーブル５には、給電受部１１に接続される時に、筐体扉３１の第２係合部３９と係合する第１係合部５３が設けられている。本実施形態では、図１および図２に示すように、電気装置１において、電源ケーブル５の抜き差しの方向と筐体の扉３１の開閉方向とが同じ前後方向Ｘである。
【００２１】
筐体扉３１の拡張部３１ｂは、電源ケーブル５が挿入される第２接続口３４と、正面視で第２接続口３４の一部を覆うように突出する第２係合部３９とを有する。拡張部３１ｂに形成された第２接続口３４は、筐体扉３１の閉扉時に第１接続口３３に対向するような位置に存在する。図３に示すように、本実施形態では、第２係合部３９は、拡張部３１ｂに曲折形成されて一体で設けられている。第２係合部３９が、方向Ｘに沿った正面視で第１係合部５３の一部と重なる重なりＨが存在するように突出しているので、前述の様に、筐体扉３１が開けられる時に、第２接続口３４に挿入されるコネクタ部５１の第１係合部５３と係合することができる。
【００２２】
ここで、第２係合部３９は、本実施形態では、電源ケーブル５が給電受部１１に接続されている時に、電源ケーブル５の第１係合部５３に対して、給電受部１１側に存在して、第１係合部５３と係合する位置にある。言い換えると、第２係合部３９は、電源ケーブル５が給電受部１１に接続されている時に、第１係合部５３に対して筐体３寄りに存在している。この位置関係により、第１係合部５３と第２係合部３９とが、筐体扉３１の開放時に互いに押し合う向きで係合するので、電源ケーブル５が給電受部１１に接続されている時にユーザが筐体扉３１を開扉しようとした場合に、筐体扉３１の第２係合部３９が電源ケーブル５の第１係合部５３によって押し留められて、筐体扉３１の開扉が阻止される。
【００２３】
図１は、筐体扉３１が少し開いた状態の図であり、上記のような第１係合部５３と第２係合部３９との位置関係を示している。図３に示すように、筐体扉３１の取付孔３１ｂ１がねじ止めされ、筐体扉３１が閉止状態となっているとき、第１係合部５３と第２係合部３９との間に僅かな隙間、すなわち遊びＧが存在している。第１係合部５３と第２係合部３９との間にこの隙間Ｇが存在しているため、筐体扉３１は少し開くことが可能であるが、こうした場合でも、ユーザは筐体３内部へのアクセスは不可能である。
【００２４】
電源ケーブル５の第１係合部５３は、給電受部１１に接続される電源ケーブル５のコネクタ部５１に形成されており、さらに本実施形態では、具体的には電源ケーブル５の長手方向に直交する方向に突出する突片である。コネクタ部５１は、型成形された樹脂製であり、その外周に全周にわたって延びるように第１係合部５３が型成形により一体形成されている。前記突片５３は、電源ケーブル５の長手方向に沿った縦断面の形状が、例えば長方形状、台形状等である。突片５３の前記断面形状および寸法は、電源ケーブル５の給電受部１１への接続時に、第２係合部３９が第１係合部５３に係合することで筐体扉３１の開扉が阻止されるような形状および寸法に設定されている。
【００２５】
なお、本実施形態において、拡張部３１ｂは、一部または全部が、透明または半透明であってもよい。例えば、具体的には、拡張部３１ｂが、第２接続口３４の周辺部において、当該第２接続口３４を含む透明または半透明の樹脂板により形成され、この樹脂板を筐体扉３１の本体３１ａに連なるようにねじ止めする。また、電源ケーブル５は、第１係合部５３と第２係合部３９との係合性向上の面から、当該係合性が最適化された電源ケーブルとして電気装置１にバンドルされることが好ましい。
【００２６】
上述のとおり、本実施形態の電気装置１は、第２係合部３９が第１係合部５３と係合することによって、筐体扉３１の不用意な開放が防止されるようになっている。これらの第１係合部５３および第２係合部３９の効果を明確にするため、第１係合部５３および第２係合部３９を設けない場合の参考例について、図４を参照しながら説明する。
【００２７】
電源ケーブル５は、一般的に、素材が柔軟性を有するので、可撓性を有している。ここで、電気装置１００のように、筐体３に対する電源ケーブル５の抜き差しの方向と筐体３の扉３１の開閉方向とが同じ方向Ｘの場合に、次の様な問題が生じうる。すなわち、筐体扉３１に連なる拡張部３１ｂに設けられた第２接続口３４と筐体側の第１接続口３３との両方を通じて電源ケーブル５のコネクタ部５１を筐体３の給電受部１１に接続するように構成したとしても、筐体扉３１を開ける際に第１接続口３３と第２接続口３４との間隔が広がる間に、コネクタ部５１は、第２接続口３４の移動を妨げることなく、かつ、電源ケーブル５は、第２接続口３４の移動を妨げず柔軟に湾曲する。よって、電源ケーブル５を接続した通電状態で、筐体扉３１を不用意に開扉することが可能となる。
【００２８】
本発明は、以上の実施形態に限定されるものではなく、本発明の要旨を逸脱しない範囲内で、種々の追加、変更または削除が可能である。したがって、そのようなものも本発明の範囲内に含まれる。例えば、上記実施形態では、図１の電気装置１において、電源ケーブル５の抜き差しの方向と筐体扉３１の開閉方向とが同じ方向Ｘであったが、電源ケーブル５の抜き差しの方向と筐体扉３１の開閉方向とが同一でない場合、例えば筐体３の右側面に給電受部１１が存在し、かつ拡張部３１ｂが当該右側面に折り曲げて延長されている場合（すなわち筐体扉３１の本体３１ａと拡張部３１ｂとが直交する位置関係の場合）にも、同様の効果を奏することができる。また上記実施形態の電気装置１では、第２係合部３９は、拡張部３１ｂに設けられているが、筐体扉３１内に存在して第１係合部５３と係合可能な位置であれば、拡張部３１ｂ以外に設けることもできる。こうした電気装置も本発明の範囲内に含まれる。
【符号の説明】
【００２９】
１                            電気装置
１０                          電気回路
１１                          給電受部
３                            筐体
３１                          筐体扉
３１ａ                        筐体扉の本体
３１ａ１                      筐体扉の一端部
３１ａ２                      筐体扉の他端部
３１ｂ                        拡張部
３３                          第１接続口
３４                          第２接続口
３５                          開放口
３９                          第２係合部
５                            電源ケーブル
５１                          コネクタ部
５３                          第１係合部
【図１】
2017152466.tif 000003
【図２】
2017152466.tif 000004
【図３】
2017152466.tif 000005
【図４】
2017152466.tif 000006